(57)【特許請求の範囲】
【請求項１】
放送信号を受信する放送受信機能と近距離無線通信する通信機能とを有する携帯型放送受信ユニットと、前記携帯型放送受信ユニットとの間で近距離無線通信する通信機能と前記放送信号の映像及び又は音声を再生する再生機能とを有する携帯機器本体と、を具備する携帯機器装置であって、
前記携帯型放送受信ユニットは、
前記放送信号の周波数帯の中心周波数の１／４波長に設定された電気長を有するモノポール型の第１アンテナと、
前記第１アンテナがアンテナ給電部に接続され、前記放送信号を受信して復号する放送受信回路と、
前記復号された放送信号から近距離無線信号を生成して近距離無線通信する近距離無線通信回路と、
前記近距離無線通信回路のアンテナ給電部に接続され、近距離無線通信に用いられる第２アンテナと、
前記放送受信回路又は前記近距離無線通信回路のアンテナ給電部に選択的に接続可能で、前記近距離無線通信回路に接続された場合は前記第２アンテナとは別の近距離無線通信用のアンテナとして用いられ、前記放送受信回路に接続された場合は前記第１アンテナと一体として電気長が拡張された放送受信用のアンテナとして用いられる第３アンテナと、
を具備することを特徴とする携帯機器装置。
【請求項２】
前記第３アンテナは、前記近距離無線通信に用いられる通信周波数の１／４波長のＮ倍（Ｎは、２以上の整数）の電気長に設定されることを特徴とする請求項１記載の携帯機器装置。
【請求項３】
前記第３アンテナの電気長は、前記近距離無線通信の通信周波数の波長と同一の長さに設定されることを特徴とする請求項２記載の携帯機器装置。
【請求項４】
前記第３アンテナを近距離無線通信用のアンテナとして用いる場合、前記第３アンテナの一端を前記近距離無線通信回路の給電部に接続し、前記第３アンテナの他端を開放してモノポールアンテナを形成する切り替え手段を備えることを特徴とする請求項２又は請求項３記載の携帯機器装置。
【請求項５】
前記第３アンテナを近距離無線通信用のアンテナとして用いる場合、前記第３アンテナの一端を前記近距離無線通信回路のアンテナ給電部に接続し、前記第３アンテナの他端をグラウンド又は前記近距離無線通信回路のアンテナ給電部に接続してループアンテナを形成する切り替え手段を備えることを特徴とする請求項２又は請求項３記載の携帯機器装置。
【請求項６】
前記切り替え手段は、前記第３アンテナを前記第１アンテナと一体化して放送受信用のアンテナとして用いる場合、前記第３アンテナの他端を前記放送受信回路のアンテナ給電部に接続し、前記第３アンテナの一端を開放してダイポールアンテナを構成することを特徴とする請求項４又は請求項５記載の携帯機器装置。
【請求項７】
前記放送信号は、ＵＨＦ帯の地上デジタルテレビジョン放送信号であり、
前記近距離無線信号は、無線ＬＡＮ信号であることを特徴とする請求項１から請求項６のいずれかに記載の携帯機器装置。
【請求項８】
近距離無線通信する通信機能と放送信号の映像及び又は音声を再生する再生機能とを有する携帯機器本体との間で近距離無線通信する携帯型放送受信ユニットであって、
前記放送信号の周波数帯の中心周波数の１／４波長に設定された電気長を有するモノポール型の第１アンテナと、
前記第１アンテナの端部がアンテナ給電部に接続され、前記放送信号を受信して復号する放送受信回路と、
前記携帯機器本体との間で近距離無線通信し、前記復号された放送信号から生成した近距離無線信号を前記携帯機器本体へ伝送する近距離無線通信回路と、
前記近距離無線通信回路のアンテナ給電部に接続され、近距離無線通信に用いられる第２アンテナと、
前記放送受信回路又は前記近距離無線通信回路のアンテナ給電部に選択的に接続可能で、前記近距離無線通信回路に接続された場合は前記第２アンテナとは別の近距離無線通信用のアンテナとして用いられ、前記放送受信回路に接続された場合は前記第１アンテナと一体として電気長が拡張された放送受信用のアンテナとして用いられる第３アンテナと、
を具備することを特徴とする携帯型放送受信ユニット。
【発明の詳細な説明】
【技術分野】
【０００１】
本発明は、放送信号を受信可能な携帯型放送受信ユニット、特に、当該携帯型放送受信ユニットと携帯機器本体とが近距離無線通信を行うことで、携帯型放送受信ユニットで受信された放送信号を携帯機器本体で再生可能な携帯機器装置に関する。
【背景技術】
【０００２】
従来、地上波デジタル放送信号などの放送信号を受信する携帯型放送受信ユニットと、当該携帯型放送受信ユニットで受信された放送信号を再生する携帯機器本体と、から構成される携帯機器装置が知られている（例えば、特許文献１）。
【０００３】
かかる携帯機器装置では、携帯型放送受信ユニットは、受信した放送信号を近距離無線通信により携帯機器本体に送信し、携帯機器本体は、携帯型放送受信ユニットから近距離無線通信により受信した放送信号を再生する。かかる携帯機器装置では、携帯電話端末や携帯ゲーム機などの携帯機器本体に放送信号を受信する携帯型放送受信ユニットを内蔵する必要がなく、携帯機器本体を小型軽量化することができる。
【先行技術文献】
【特許文献】
【０００４】
【特許文献１】特開２００８−３５３５０号公報
【発明の概要】
【発明が解決しようとする課題】
【０００５】
しかしながら、上述の携帯機器装置の携帯型放送受信ユニットにおいては、放送信号を受信するための放送受信アンテナに大きなスペースを確保する必要があるため、近距離無線通信アンテナについては、小型の無線ＬＡＮ用アンテナのような簡易的なものしか設けることができない。一方、携帯型放送受信ユニットと携帯機器本体とが切り離されて別々の場所に設置又は保持可能であるので、携帯型放送受信ユニットが携帯機器本体から所定距離以上離れている場合や携帯型放送受信ユニットと携帯機器本体との間に障害物が存在する場合、近距離無線通信の品質が劣化するという問題点があった。
【０００６】
本発明はかかる点に鑑みてなされたものであり、携帯型放送受信ユニット内のスペース上の制約を軽減しながら、携帯機器本体と携帯型放送受信ユニットとの間の近距離無線通信の品質を向上可能な携帯機器装置及び当該携帯機器装置で用いられる携帯型放送受信ユニットを提供することを目的とする。
【課題を解決するための手段】
【０００７】
本発明の携帯機器装置は、放送信号を受信する放送受信機能と近距離無線通信する通信機能とを有する携帯型放送受信ユニットと、前記携帯型放送受信ユニットとの間で近距離無線通信する通信機能と前記放送信号の映像及び又は音声を再生する再生機能とを有する携帯機器本体と、を具備する携帯機器装置であって、前記携帯型放送受信ユニットは、前記放送信号の周波数帯の中心周波数の１／４波長に設定された電気長を有するモノポール型の第１アンテナと、前記第１アンテナがアンテナ給電部に接続され、前記放送信号を受信して復号する放送受信回路と、前記復号された放送信号から近距離無線信号を生成して近距離無線通信する近距離無線通信回路と、前記近距離無線通信回路のアンテナ給電部に接続され、近距離無線通信に用いられる第２アンテナと、前記放送受信回路又は前記近距離無線通信回路のアンテナ給電部に選択的に接続可能で、前記近距離無線通信回路に接続された場合は前記第２アンテナとは別の近距離無線通信用のアンテナとして用いられ、前記放送受信回路に接続された場合は前記第１アンテナと一体として電気長が拡張された放送受信用のアンテナとして用いられる第３アンテナと、を具備することを特徴とする。
【０００８】
この構成によれば、放送受信回路又は前記近距離無線通信回路のアンテナ給電部に選択的に接続可能で、近距離無線通信回路に接続された場合は第２アンテナとは別の近距離無線通信用のアンテナとして用いられ、前記放送受信回路に接続された場合は第１アンテナと一体として電気長が拡張された放送受信用のアンテナとして用いられる第３アンテナを具備するので、携帯型放送受信ユニット内のスペース上の制約を軽減しながら、携帯型放送受信ユニットと携帯機器本体との間の近距離無線通信の品質を向上させることができる。
【０００９】
上記携帯機器装置において、前記第３アンテナは、前記近距離無線通信に用いられる通信周波数の１／４波長のＮ倍（Ｎは、２以上の整数）の電気長に設定されてもよい。
【００１０】
上記携帯機器装置において、前記第３アンテナの電気長は、前記近距離無線通信の通信周波数の波長と同一の長さに設定されてもよい。
【００１１】
上記携帯機器装置において、前記第３アンテナを近距離無線通信用のアンテナとして用いる場合、前記第３アンテナの一端を前記近距離無線通信回路の給電部に接続し、前記第３アンテナの他端を開放してモノポールアンテナを形成する切り替え手段を備えてもよい。
【００１２】
上記携帯機器装置において、前記第３アンテナを近距離無線通信用のアンテナとして用いる場合、前記第３アンテナの一端を前記近距離無線通信回路のアンテナ給電部に接続し、前記第３アンテナの他端をグラウンド又は前記近距離無線通信回路のアンテナ給電部に接続してループアンテナを形成する切り替え手段を備えてもよい。
【００１３】
上記携帯機器装置において、前記切り替え手段は、前記第３アンテナを前記第１アンテナと一体化して放送受信用のアンテナとして用いる場合、前記第３アンテナの他端を前記放送受信回路のアンテナ給電部に接続し、前記第３アンテナの一端を開放してダイポールアンテナを構成してもよい。
【００１４】
上記携帯機器装置において、前記放送信号は、ＵＨＦ帯の地上デジタルテレビジョン放送信号であり、前記近距離無線信号は、無線ＬＡＮ信号であってもよい。
【００１５】
本発明の携帯型放送受信ユニットは、近距離無線通信する通信機能と放送信号の映像及び又は音声を再生する再生機能とを有する携帯機器本体との間で近距離無線通信する携帯型放送受信ユニットであって、前記放送信号の周波数帯の中心周波数の１／４波長に設定された電気長を有するモノポール型の第１アンテナと、前記第１アンテナの端部がアンテナ給電部に接続され、前記放送信号を受信して復号する放送受信回路と、前記携帯機器本体との間で近距離無線通信し、前記復号された放送信号から生成した近距離無線信号を前記携帯機器本体へ伝送する近距離無線通信回路と、前記近距離無線通信回路のアンテナ給電部に接続され、近距離無線通信に用いられる第２アンテナと、前記放送受信回路又は前記近距離無線通信回路のアンテナ給電部に選択的に接続可能で、前記近距離無線通信回路に接続された場合は前記第２アンテナとは別の近距離無線通信用のアンテナとして用いられ、前記放送受信回路に接続された場合は前記第１アンテナと一体として電気長が拡張された放送受信用のアンテナとして用いられる第３アンテナと、を具備してもよい。
【発明の効果】
【００１６】
本発明によれば、携帯型放送受信ユニット内のスペース上の制約を軽減しながら、携帯機器本体と携帯型放送受信ユニットとの間の近距離無線通信の品質を向上可能な携帯機器装置及び当該携帯機器装置で用いられる携帯型放送受信ユニットを提供できる。
【図面の簡単な説明】
【００１７】
【図１】本実施の形態に係る携帯機器装置の構成図である。
【図２】本実施の形態に係る携帯機器装置の構成図である。
【図３】本実施の形態に係る携帯機器装置の構成図である。
【図４】本実施の形態に係る携帯機器装置の使用例を示す図である。
【発明を実施するための形態】
【００１８】
以下、本実施の形態に係る携帯機器装置について、図面を参照して詳述する。
【００１９】
図１は、本実施の形態の携帯機器装置の構成図である。図１に示すように、携帯機器装置１は、地上波デジタル放送信号などの放送信号を受信する携帯型放送受信ユニット２と、携帯型放送受信ユニット２から近距離無線通信により受信した放送信号を再生する携帯機器本体３とから構成される。
【００２０】
携帯型放送受信ユニット２は、放送信号を受信する放送受信アンテナ２１（第１アンテナ）と、放送受信アンテナ２１に接続される放送受信回路２２と、携帯機器本体３との間で行われる近距離無線通信用の近距離無線通信アンテナ２３（第２アンテナ）と、近距離無線通信アンテナ２３及び放送受信回路２２に接続される近距離無線通信回路２４と、放送受信回路２２又は近距離無線通信回路２４のアンテナ給電部に選択的に接続可能な追加アンテナ２５（第３アンテナ）と、放送受信回路２２の不図示のアンテナ給電部に対する接続／開放を切り替えるスイッチ手段の一部であるスイッチ回路２６と、近距離無線通信回路２４の不図示のアンテナ給電部に対する接続／開放を切り替えるスイッチ手段の一部であるスイッチ回路２７と、から構成される。なお、放送受信回路２２、近距離無線通信アンテナ２３及び近距離無線通信回路２４は、基板２８に配置される。
【００２１】
放送受信アンテナ２１は、受信対象放送信号の周波数帯域の中心周波数の１／４波長（λ）の電気長を有するモノポールアンテナで構成されている。例えば、放送受信アンテナ２１を構成する導体は、基板２８の外周に沿って配置される。本実施の形態では、受信対象放送信号は、例えば、ＵＨＦ帯の地上波デジタルテレビジョン放送信号である。ＵＨＦ帯の地上波デジタル放送信号の周波数帯域は、４７０ＭＨｚ〜７１０ＭＨｚであり、その中心周波数はおよそ６００ＭＨｚである。よって、ＵＨＦ帯の地上波デジタル放送信号の放送受信アンテナ２１の電気長は、λ／４＝３００／中心周波数＊１／４＝３００／６００＊１／４＝０．１２５（ｍ）＝１２．５（ｃｍ）であることが好ましい。以下では、放送信号がＵＨＦ帯の地上波デジタル放送信号であるものとして説明を行うが、これに限られるものではない。放送受信アンテナ２１は、放送受信回路２２の給電部となる受信端子に接続されている。
【００２２】
放送受信回路２２は、放送受信アンテナ２１から入力された受信ＲＦ信号から放送信号を受信して復調及び復号し、復号された放送信号を近距離無線通信回路２４に出力する。
【００２３】
近距離無線通信アンテナ２３は、携帯機器本体３との間の近距離無線通信に用いられるチップアンテナ又はミアンダパターンアンテナなどで構成された簡易型の小型アンテナである。近距離無線通信アンテナ２３は、基板２８上に近距離無線通信回路２４に隣接して配置される。以下では、近距離無線通信プロトコルとして、無線ＬＡＮが用いられるものとして説明を行うが、これに限られるものではなく、例えば、Ｂｌｕｅｔｏｏｔｈ（登録商標）が用いられてもよい。近距離無線通信によって送受信されるＲＦ信号のことを近距離無線信号と呼ぶこととする。例えば、無線ＬＡＮ（Ｌｏｃａｌ  Ａｒｅａ  Ｎｅｔｗｏｒｋ）の場合、無線ＬＡＮ信号が近距離無線信号となる。
【００２４】
近距離無線通信回路２４は、放送受信回路２２から入力された放送信号を符号化及び変調して近距離無線信号を生成し、生成した近距離無線信号を近距離無線通信アンテナ２３に出力する。また、近距離無線通信回路２４は、近距離無線通信アンテナ２３で受信された近距離無線信号を復調及び復号する。
【００２５】
追加アンテナ２５は、スイッチ回路２６及び２７の切り替えにより、高感度化された近距離無線通信アンテナ又は放送受信アンテナを構成する。追加アンテナ２５が近距離無線通信回路２４のアンテナ給電点（近距離無線通信アンテナ２３の給電点であり、電気的には図１に示す端子２７ａ）に接続される場合、追加アンテナ２５は、高感度化された近距離無線通信用のアンテナを構成する。一方、追加アンテナ２５が放送受信回路２２のアンテナ給電点（放送受信アンテナ２１の給電点であり、電気的には図１に示す端子２６ｂ）に接続される場合、追加アンテナ２５は、高感度化された放送受信用のアンテナを構成する。
【００２６】
ここで、追加アンテナ２５の電気長は、受信する放送信号の周波数帯域の中心周波数の１／４波長（λ）に設定されるとともに、近距離無線通信の通信周波数の１／４波長（λ）のＮ倍（Ｎは、２以上の整数）に設定される。追加アンテナ２５の電気長を放送信号の周波数帯域の中心周波数の１／４波長（λ）と等しく設定することで、追加アンテナ２５を放送受信用のアンテナとして放送受信アンテナ２１と共に１／２波長のダイポールアンテナを構成できる。また、追加アンテナ２５の電気長を近距離無線信号の通信周波数の１／４波長（λ）のＮ倍（Ｎは、２以上の整数）に設定することで、追加アンテナ２５を近距離無線通信用のアンテナとして使用する場合に、１／４波長のモノポールアンテナ又はループアンテナを形成できる。なお、図１に示す追加アンテナ２５の電気長は、端子２６ａから端子２７ａの導線の長さとなる。
【００２７】
或いは、追加アンテナ２５の電気長は、近距離無線通信の通信周波数の波長（λ）と等しくなるように設定されてもよい。例えば、放送信号として地上波デジタル放送信号を用いる場合、地上波デジタル放送信号の中心周波数の１／４波長（λ）は、λ／４＝３００／６００＊１／４＝０．１２５（ｍ）＝１２．５（ｃｍ）となる。また、近距離無線信号として２．４ＧＨｚの無線ＬＡＮ信号を用いる場合、無線ＬＡＮ信号の通信周波数の波長（λ）は、λ＝３００・２４００＝０．１２５（ｍ）＝１２．５（ｃｍ）となり、地上波デジタル放送信号の中心周波数の１／４波長（λ）と等しくなる。よって、放送信号として地上波デジタル放送信号、近距離無線信号として２．４ＧＨｚの無線ＬＡＮ信号を用いる場合、追加アンテナ２５の電気長を近距離無線通信の通信周波数の波長（λ）と等しく設定することで、追加アンテナ２５を近距離無線通信用のアンテナとして使用している場合は、１波長のモノポールアンテナ又はループアンテナを構成でき、追加アンテナ２５を放送受信用のアンテナとして放送受信アンテナ２１と一体化して使用する場合は、１／２波長のダイポールアンテナを構成できる。
【００２８】
スイッチ回路２６は、単極双投のスイッチ回路である。スイッチ回路２６の単極側端子２６ａは、追加アンテナ２５の一端に接続される。また、一方の双投側端子２６ｂは放送受信回路２２のアンテナ給電点（放送受信アンテナ２１の給電点）となる端子２６ｂに接続され、他方の双投側端子２６ｃは基板２８のグラウンドに接続される。スイッチ回路２７は、単極単投のスイッチ回路である。スイッチ回路２７の単極側端子２７ａは、近距離無線通信回路２４のアンテナ給電点（近距離無線通信アンテナ２３の給電点）となる端子２７ａに接続される。また、単投側端子２７ｂは、追加アンテナ２５の他端に接続される。
【００２９】
図１に示すように、スイッチ回路２６が開放され、かつ、スイッチ回路２７が追加アンテナ２５に接続するように切り替えられる場合、追加アンテナ２５が近距離無線通信用のモノポールアンテナを構成する。すなわち、スイッチ回路２７が近距離無線通信回路２４のアンテナ給電点を追加アンテナ２５の他端に接続し、スイッチ回路２６が放送受信アンテナ２１側、基板２８のグラウンド側のいずれにも接続されていないオープン状態の場合（図１）、Ｎ／４波長の近距離無線通信用のモノポールアンテナが形成される。スイッチ回路２７が近距離無線通信回路２４のアンテナ給電点を追加アンテナ２５の他端に接続し、スイッチ回路２６が基板２８のグラウンドに切り替えられる場合（図２参照）、追加アンテナ２５は、近距離無線通信用のループアンテナを構成する。さらに、スイッチ回路２７が近距離無線通信回路２４のアンテナ給電点から追加アンテナ２５の他端を切り離し、スイッチ回路２６が放送受信回路２２のアンテナ給電点（放送受信アンテナ２１の給電点）に追加アンテナ２５の一端を接続した場合（図３参照）、追加アンテナ２５は、放送受信アンテナ２１と一体化して、放送受信用のダイポールアンテナを構成する。
【００３０】
なお、スイッチ回路２６及びスイッチ部２７による接続状態の切り替えは、後述するように、不図示の制御部によって近距離無線通信の品質に基づいて行われても良い。ここで、近距離無線通信の品質とは、例えば、携帯機器本体３から送信された近距離無線信号の近距離無線通信回路２４における受信感度であってもいし、携帯型放送受信ユニット２から送信された近距離無線信号の近距離無線通信回路３２における受信感度であってもよい。
【００３１】
携帯機器本体３は、近距離無線通信用の近距離無線通信アンテナ３１と、近距離無線通信アンテナ３１に接続される近距離無線通信回路３２と、近距離無線通信回路３２に接続される再生装置３３と、から構成される。
【００３２】
近距離無線通信アンテナ３１は、携帯型放送受信ユニット２との間で、近距離無線信号を送受信するチップアンテナやミアンダパターンアンテナなどの簡易型のアンテナである。近距離無線通信アンテナ３１は、近距離無線通信回路３２に隣接して配置される。
【００３３】
近距離無線通信回路３２は、近距離無線通信アンテナ２３で受信された近距離無線信号を復調及び復号し、復号された放送信号を再生装置３３に出力する。また、近距離無線通信回路３２は、携帯型放送受信ユニット２に対する送信信号を符号化及び変調して近距離無線信号を生成し、生成した近距離無線信号を近距離無線通信アンテナ３１に出力することができる。
【００３４】
再生装置３３は、近距離無線通信回路３２から入力された放送信号を再生する。具体的には、再生装置３３は、不図示のディスプレイやスピーカを含み、放送信号に含まれる音声信号をスピーカに出力して音声出力させるとともに、放送信号に含まれる映像信号をディスプレイに出力して映像出力させる。再生装置３３は、音声再生専用又は映像再生専用であっても良い。
【００３５】
次に、図１〜図３を参照し、以上のように構成された携帯機器装置で用いられる携帯型放送受信ユニットにおける動作について説明する。本実施の形態では、携帯型放送受信ユニット２と携帯機器本体３との間の近距離無線通信の品質に応じて、スイッチ回路２６及び２７における接続状態が切り替えられる。なお、スイッチ回路２６及び２７における接続状態の切り替えは、不図示の制御部によって行われる。
【００３６】
図１では、追加アンテナ２５を近距離無線通信用のモノポールアンテナとして使用する場合のスイッチ回路２６及び２７による接続状態が示される。近距離無線通信の品質が所定の閾値よりも悪い場合、追加アンテナ２５で近距離無線通信用のモノポールアンテナを構成する。図１に示すように、スイッチ回路２６は、追加アンテナ２５の一端を開放状態にされる。すなわち、スイッチ回路２６が放送受信アンテナ２１の給電点、基板２８のグラウンドのいずれにも接続されない状態となる。また、スイッチ回路２７は、追加アンテナ２５の他端を近距離無線通信回路２４のアンテナ給電点に接続するように切り替えられる。
【００３７】
これにより、追加アンテナ２５は、近距離無線通信回路２４のアンテナ給電点に接続され、近距離無線通信用のモノポールアンテナとして使用可能となる。すなわち、携帯型放送受信ユニット２では、簡易型の近距離無線通信アンテナ２３よりも高感度のＮ／４波長モノポールアンテナを用いて、近距離無線信号を受信可能となるので、近距離無線通信の品質を向上させることができる。なお、追加アンテナ２５によって構成されるＮ／４波長モノポールアンテナと簡易型の近距離無線通信アンテナ２３とを併用しても良い。
【００３８】
図２では、追加アンテナ２５を近距離無線通信用のループアンテナとして使用する場合のスイッチ回路２６及び２７による接続状態が示される。近距離無線通信の品質が所定の閾値よりも悪い場合、追加アンテナ２５で近距離無線通信用のループアンテナを構成しても良い。図２に示すように、スイッチ回路２６は追加アンテナ２５の一端を基板２８のグラウンドに接続し、スイッチ回路２７は、追加アンテナ２５の他端を近距離無線通信回路２４のアンテナ給電点に接続するように切り替えられる。
【００３９】
これにより、追加アンテナ２５は、一端が基板２８のグラウンドに接地され、他端が近距離無線通信回路２４のアンテナ給電点に接続された近距離無線通信用のループアンテナとして使用可能となる。すなわち、携帯型放送受信ユニット２では、簡易型の近距離無線通信アンテナ２３よりも高感度なＮ／４波長のループアンテナを用いて、近距離無線信号を送受信可能となるので、近距離無線通信の品質を向上させることができる。
【００４０】
図３では、追加アンテナ２５を放送受信アンテナ２１と一体化させて、放送受信用のダイポールアンテナとして使用する場合のスイッチ回路２６及び２７による接続状態が示される。近距離無線通信の品質が所定の閾値よりも良い場合、放送受信用に１／２波長ダイポールアンテナを構成しても良い。図３に示すように、スイッチ回路２６は、追加アンテナ２５の一端を放送受信回路２２のアンテナ給電点に接続し、スイッチ回路２７は、追加アンテナ２５の他端を端子２７ａから切り離して開放状態にする。
【００４１】
これにより、追加アンテナ２５は、１／４波長の放送受信アンテナ２１と１／４波長の追加アンテナ２５とが一体となって、放送受信用の１／２波長ダイポールアンテナとして使用可能となる。すなわち、携帯型放送受信ユニット２では、放送受信アンテナ２１に加えて追加アンテナ２５を用いて、放送信号を受信可能となるので、放送受信回路２２の感度を向上させることができる。
【００４２】
次に、図４を参照し、本実施の形態に係る携帯機器装置の使用例を説明する。本実施の形態では、図４に示すように、携帯型放送受信ユニット２で受信された放送信号が、近距離無線通信により、携帯機器本体３に送信されて再生される。携帯型放送受信ユニット２は、例えば、地上波デジタルテレビジョン放送の放送信号をフルセグで受信可能なチューナーである。また、携帯機器本体３は、例えば、携帯電話、携帯ゲーム機、モバイルＰＣなどである。携帯機器本体３は、携帯型放送受信ユニット２から近距離無線通信によりフルセグの放送信号を受信することで、携帯機器本体３の内部に、フルセグ用のチューナーを備える必要がなく、携帯機器本体３の小型軽量化を図ることができる。
【００４３】
以上のように、本実施の形態に係る携帯機器装置によれば、携帯型放送受信ユニット内のスペース上の制約を軽減しながら、携帯機器本体と携帯型放送受信ユニットとの間の近距離無線通信のための近距離無線通信の品質を向上できる。
【００４４】
また、本実施の形態に係る携帯機器装置によれば、追加アンテナ２５の電気長が、放送受信アンテナ２１で受信される放送信号の周波数帯域の中心周波数の１／４波長と等しく設定されるので、追加アンテナ２５が放送受信アンテナ２１と一体化して１／２波長のダイポールアンテナを形成できる。また、追加アンテナ２５の電気長が、近距離無線通信アンテナ２３から送信される近距離無線信号の通信周波数の１／４波長のＮ倍と等しく設定されるので、追加アンテナ２５が近距離無線通信アンテナ２３のアンテナ給電点に接続された場合、近距離無線通信用のＮ／４波長のモノポールアンテナ又はループアンテナを構成できる。
【００４５】
また、本実施の形態に係る携帯機器装置によれば、追加アンテナ２５の電気長が、近距離無線通信の通信周波数の１波長と等しく設定されれば、近距離無線通信用のアンテナとして１波長のモノポールアンテナ又はループアンテナを構成できる。
【００４６】
なお、本発明は上記実施の形態に限定されず、種々変更して実施することができる。上記実施の形態における各構成要素の配置、大きさなどは適宜変更して実施することが可能である。その他、本発明は、本発明の範囲を逸脱しないで適宜変更して実施することができる。
【符号の説明】
【００４７】
１…携帯機器装置
２…携帯型放送受信ユニット
３…携帯機器本体
２１…放送受信アンテナ
２２…放送受信回路
２３…近距離無線通信アンテナ
２４…近距離無線通信回路
２５…追加アンテナ
２６…スイッチ回路
２７…スイッチ回路
２８…基板
２６ａ…単極側端子
２６ｂ、２６ｃ…双投側端子
２７ａ…単極側端子
２７ｂ…単投側端子
３１…近距離無線通信アンテナ
３２…近距離無線通信回路
３３…再生装置
【図１】
0005792653.tif 000002
【図２】
0005792653.tif 000003
【図３】
0005792653.tif 000004
【図４】
0005792653.tif 000005